(57)【要約】【課題】専用のバー表示器やメータ表示器を設けたりせずに、印刷装置によって電波受信強度をリアルタイムに見易く表示する。【解決手段】受信強度判定部２８ｂにより無線接続機能の電波受信強度をくり返し判定し、その判定毎にヘッド位置決定部２８ｃにより判定結果に応じた受信強度表示のヘッド位置を決定し、ヘッド移動機構によりプリントヘッドをヘッド位置決定部２８ｃが決定した位置に移動し、印刷装置のプリントヘッドを利用してその電波受信強度のリアルタイムの表示を行う。【選択図】図５
2009208345.tif 000002
【特許請求の範囲】
【請求項１】
通信ネットワークへの無線接続機能を有し、かつ、プリントヘッドを移動して印刷する印刷装置において、
前記無線接続機能の電波受信強度をくり返し判定する受信強度判定部と、
前記受信強度判定部の判定毎に判定結果に応じた受信強度表示のヘッド位置を決定するヘッド位置決定部と、
前記プリントヘッドを前記ヘッド位置決定部が決定した位置に移動するヘッド移動機構とを備えた印刷装置。
【請求項２】
請求項１に記載の印刷装置において、
前記プリントヘッドの移動方向に沿って設けられた、電波受信強度を表示するスケールを更に備えた印刷装置。
【請求項３】
請求項２に記載の印刷装置において、
前記プリントヘッドの上面に設けられ、前記プリントヘッドの位置のスケールを指し示す指針を更に備えた印刷装置。
【請求項４】
請求項１〜３のいずれかに記載の印刷装置において、
前記プリントヘッドを収容し、上面の少なくとも電波受信強度表示において前記ヘッドが移動する範囲の部分が開放した装置ケースと、
前記装置ケースの上面を開閉自在に覆い、開状態時に用紙サポートを形成する蓋体と、
前記蓋体に形成され、前記蓋体が閉状態のときに前記上面の少なくとも前記電波受信強度表示において前記ヘッドが移動する範囲の部分に重合する透光性の表示窓とを更に備えた印刷装置。
【請求項５】
請求項１〜４のいずれかに記載の印刷装置において、
電波受信強度表示を選択する操作は、複数個の印刷操作キーの組み合わせ操作である印刷装置。
【請求項６】
請求項４に記載の印刷装置において、
電波受信強度表示を選択する操作は、前記蓋体を開いた状態での所定の印刷操作キーの操作である印刷装置。
【請求項７】
通信ネットワークへの無線接続機能を有し、かつ、プリントヘッドを移動して印刷する印刷装置の電波受信強度表示方法において、
前記無線接続機能の電波受信強度をくり返し判定し、
前記電波受信強度の判定毎に判定結果に応じた受信強度表示のヘッド位置を決定し、
プリントヘッドを決定した位置に移動して電波受信強度を表示する印刷装置の電波受信強度表示方法。
【発明の詳細な説明】
【技術分野】
【０００１】
本発明は、通信ネットワークへの無線接続機能を有し、かつ、プリントヘッドを移動して印刷する印刷装置及びその受信電波強度表示方法に関する。
【背景技術】
【０００２】
従来、プリントヘッドを移動して印刷を行うインクジェットプリンタ、熱転写プリンタ等の印刷装置には無線ＬＡＮ（ローカルエリアネットワーク）のような無線の通信ネットワークへの接続機能（無線接続機能）を備えたものがある。このような印刷装置を無線ネットワークの環境下で使用する場合、電波受信強度が極力大きくなるように、印刷装置の設置場所や設置の向きを調整（選定）する必要がある。
【０００３】
なお、本願のプリントヘッドは、インクジェットプリンタの場合、キャリッジ及びその下部のノズルヘッド部を含む。また、熱転写プリンタの場合、印字ヘッドが本願のプリントヘッドである。
【０００４】
一方、無線通信の分野においては、電波受信強度を測定してバー表示やアナログメータ表示することが提案されている（例えば、特許文献１参照）。
【０００５】
【特許文献１】特許第３８４５５０６号公報（段落［００１５］−［００２３］、図１等）
【発明の開示】
【発明が解決しようとする課題】
【０００６】
前記従来のこの種の印刷装置において、液晶ディスプレイ等の画面表示器を備え、各種の設定案内や印刷画像の表示等の複雑なユーザインタフェース（ＵＩ）のサービスを提供する多機能タイプの場合は、電波受信強度等を前記画面表示器に表示することで、その画面表示を見ながら設置場所や設置の向きの調整が行える。
【０００７】
しかしながら、前記画面表示器を備えず、ランプの点灯程度の簡素なＵＩサービス機能しか持たないタイプ（以下、簡易表示タイプという）の印刷装置の場合は、その電波受信強度を印刷装置では表示することができない。
【０００８】
そのため、前記簡易表示タイプの印刷装置の場合、従来は、例えば、印刷装置をパソコン等の上位装置に有線接続し、上位装置によりネットワーク状態の印刷を選択し、この選択に基づく印刷装置の印刷結果から電波受信強度を把握するか、もしくは、実際にネットワーク印刷を実行してその結果から電波受信強度を把握するしかない。これらの方法では、印刷装置の設置位置や設置の向きを変えることによって時々刻々変化する電波受信強度をリアルタイムに把握することができない。その結果、印刷装置の設置場所や設置の向きの調整が容易に行えない。
【０００９】
なお、前記簡易表示タイプの印刷装置において、前記特許文献１に記載の電波受信強度のバー表示やアナログメータ表示の機能を備え、それらによって電波受信強度を表示することが考えられるが、この場合、そのための専用のバー表示器やメータ表示器を設けると大幅なコストアップを招来する。一方、電源ランプ等の既設の複数個のランプによって電波受信強度をバー表示することは極めて困難であり、仮にバー表示ができたとしても、そのバーは極めて短く、表示のダイナミックレンジが狭いので、バー表示からは電波受信強度は分かりにくい。
【００１０】
すなわち、従来のこの種の印刷装置においては、とくに前記簡易表示タイプの場合、専用のバー表示器やメータ表示器を設けたりせずに電波受信強度をリアルタイムに見易く表示することができない問題点がある。
【００１１】
本発明は、上記課題に鑑みなされたものであり、専用のバー表示器やメータ表示器を設けたりせずに、印刷装置によって電波受信強度をリアルタイムに見易く表示することを目的とし、とくに前記簡易表示タイプの印刷装置に好適な電波受信強度の新規な表示を提供する。
【課題を解決するための手段】
【００１２】
上記目的を達成するために、本発明の印刷装置は、通信ネットワークへの無線接続機能を有し、かつ、プリントヘッドを移動して印刷する印刷装置において、前記無線接続機能の電波受信強度をくり返し判定する受信強度判定部と、前記受信強度判定部の判定毎に判定結果に応じた受信強度表示のヘッド位置を決定するヘッド位置決定部と、前記プリントヘッドを前記ヘッド位置決定部が決定した位置に移動するヘッド移動機構とを備える。
【００１３】
また、本発明の印刷装置の電波受信強度表示方法は、通信ネットワークへの無線接続機能を有し、かつ、プリントヘッドを移動して印刷する印刷装置の電波受信強度表示方法において、前記無線接続機能の電波受信強度をくり返し判定し、前記電波受信強度の判定毎に判定結果に応じた受信強度表示のヘッド位置を決定し、プリントヘッドを決定した位置に移動して電波受信強度を表示する。
【００１４】
そのため、電波受信強度の表示において、電波受信強度がくり返し判定され、その判定結果に応じたヘッド位置の決定に基づき、プリントヘッドが時々刻々の電波受信強度の位置に移動し、印刷装置のプリントヘッドを利用した従来にない極めて安価な構成でその電波受信強度のリアルタイムの表示が行える。このとき、プリントヘッドの移動範囲は広く、電波受信強度を広いダイナミックレンジでわかり易く表示することができ、プリントヘッドの位置から時々刻々の電波受信強度を視覚的に容易に把握できる。
【００１５】
したがって、極めて安価な構成により電波受信強度をリアルタイムに見易く表示することができ、とくにランプ点灯程度の簡素なＵＩサービス機能しか持たない前記簡易表示タイプの印刷装置の電波受信強度の表示に好適である。
【００１６】
また、本発明の印刷装置は、前記プリントヘッドの移動方向に沿って設けられた、電波受信強度を表示するスケールを更に備える。
【００１７】
この場合は、時々刻々の電波受信強度をスケールの表示からより的確に把握することができる利点もある。
【００１８】
さらに、本発明の印刷装置は、前記プリントヘッドの上面に設けられ、前記プリントヘッドの位置のスケールを指し示す指針を更に備える。
【００１９】
この場合は、プリントヘッドの上面の指針が指し示すスケールから、時々刻々の電波受信強度を一層容易に把握することができる。
【００２０】
つぎに、本発明の印刷装置は、前記プリントヘッドを収容し、上面の少なくとも前記電波受信強度表示の移動範囲の部分が開放した装置ケースと、前記装置ケースの上面を開閉自在に覆い、開状態のときに用紙サポートを形成する蓋体と、前記蓋体に形成され、前記蓋体が閉状態のときに少なくとも前記電波受信強度表示の移動範囲の部分に重合する透光性の表示窓とを更に備える。
【００２１】
この場合、電波受信強度にしたがって移動するプリントヘッドを、閉じられた状態（閉状態）の前記蓋体の表示窓を通して見ることができ、このような蓋体を備えた印刷装置において、蓋体を開くことなくプリントヘッドによる電波受信強度の表示を容易に視認できる利点がある。
【００２２】
つぎに、本発明の印刷装置の電波受信強度表示の選択操作は、複数個の印刷操作キーの組み合わせ操作であることが好ましい。
【００２３】
この場合、印刷装置の印刷操作キーの組み合わせの操作によりプリントヘッドによる電波受信強度の表示を行うことができ、電波受信強度を表示する専用の操作キーを設ける必要がなく、一層安価である。
【００２４】
また、本発明の印刷装置の電波受信強度表示の選択操作は、前記蓋体を開いた状態での所定の印刷操作キーの操作であることも好ましい。
【００２５】
この場合、前記蓋体を備えた印刷装置において、その蓋が開いた状態で所定の印刷操作のキーを操作をすれば、その他の操作をすることなく、プリントヘッドによる電波受信強度の表示が行われ、操作が容易で分かり易い利点もある。
【発明を実施するための最良の形態】
【００２６】
本発明の一実施形態について、図１〜図６を参照して詳述する。図１は本実施形態の印刷装置１の全体の外観を示し、図２は図１の一部を拡大して示す。図３は図１のスケールシールを拡大して示す。図４は印刷装置１の回路構成を示すブロック図、図５は図４のＣＰＵ１６の機能ブロックの説明図、図６は印刷装置１の電波受信強度表示制御のフローチャートである。
【００２７】
（構成）
まず、印刷装置１の構成（後述する回路構成を除く）について、図１〜図３を参照して説明する。
【００２８】
図１の印刷装置１はカラー印刷を行う前記簡易表示タイプのインクジェットプリンタであり、合成樹脂製の本発明の装置ケース２の上面２ａを、本発明の蓋体を形成する合成樹脂製の上蓋３が開閉自在に覆う。
【００２９】
装置ケース２はプリントヘッド４や給紙機構、排紙機構等を収容し、前面２ｂの中央部には開閉自在の合成樹脂製の前蓋５が設けられ、前蓋５は下端部が装置ケース２に開閉自在に支持され、印刷時に開かれて用紙の排出サポートを形成する。
【００３０】
前面２ｂの左側の操作部６は、電源キー６ａ、紙送り（メンテナンス）キー６ｂ、インクカートリッジ交換キー６ｃ等の印刷操作の複数個のキーを配列して形成され、全部又は一部のキーの上部にＬＥＤ等のランプ点灯器７が設けられている。
【００３１】
プリントヘッド４は、周知のインクジェットプリンタのプリントヘッドと同様の構成であり、キャリッジ及びその下部のノズルヘッド部を含む。キャリッジには図３に示すように例えば６色のインクカートリッジ８が着脱自在に装着され、インクカートリッジ８は開閉自在の固定カバー４ａの上蓋が閉じられてキャリッジ内に固定される。なお、インクカートリッジ８は一体型カートリッジユニットまたは色別の６個の個別カートリッジユニットからなる。
【００３２】
上蓋３は後方の左、右が装置ケース２に開閉自在に支持され、印刷時に起立状態より若干後方に倒れた状態まで開かれて装置ケース２の後方中央部の給紙口９に差し込まれる用紙の用紙サポート（支持板）を形成する。そして、印刷時、上蓋３に支持された供給用紙は前記給紙機構が形成するオートシートフィーダにより、１枚ずつ装置ケース内に引き込まれる。
【００３３】
プリントヘッド４は図２に示すように、下端部がガイド軸１０に移動自在に支持され、印刷時、図示省略したモータ、タイミングベルト等が形成する本発明の駆動機構により、同図の破線矢印αに示すように左右の主走査方向（用紙幅方向）に移動し、その下の用紙にインクを吹き付けてインクジェット方式の印刷を行う。そして印刷が終了した用紙は手前にほぼ水平な状態に開かれた前蓋５の上面に排出される。
【００３４】
ところで、装置ケース２の上面２ａはほぼプリントヘッド４の移動範囲の部分が切り欠かれて開放している。そのため、上蓋３が開かれると、プリントヘッド４を直接視認することができる。
【００３５】
印刷装置１は、本発明を実現するため、更に次の構成を備える。
【００３６】
まず、装置ケース２の上面２ａのプリントヘッド４の移動方向に沿って、電波受信強度のスケールを表示するスケールシール１１が貼り付けられる。スケールシール１１は、具体的には図３に示すように、ヘッド位置が左に移動する程電波受信強度が大きくなることを、高さの変化で示すスケール図形１１ａと、「大」、「小」、「無検出」の文字１１ｂとで表示する。なお本実施例では好適な例として、スケール表示にスケールシールを用いたが、受信強度のスケール表示がわかるものであればこれに限られたものではない。
【００３７】
また、本実施形態では、プリンタヘッド４の位置から電波受信強度を一層容易に把握できるようにするため、プリンタヘッド４の上面の中央部（具体的には固定カバー４ａの表面中央）に、スケールシール１１におけるプリントヘッド４の位置を指し示す矢印図形の指針シール１２が貼着される。なお本実施例では好適な例として、指針に指針シールを用いたが、スケールシール１１におけるプリントヘッド４の位置を指し示すものであればこれに限られたものではない。
【００３８】
さらに、上蓋３が透明であれば上蓋３を通してプリントヘッド４の位置が見えるが、上蓋３が不透明な本実施形態の場合、図１に示すように、上蓋３が閉状態のときに上面２ａの少なくとも前記電波受信強度表示の移動範囲の部分に重合する透光性の表示窓１３が上蓋３に形成される。
【００３９】
つぎに、印刷装置１の回路構成について、図４、図５を参照して説明する。装置ケース２内の回路ブロックは、例えば図４に示すように構成される。同図において、１４は印刷の各種制御プログラムを保持した不揮発性のプログラムメモリであり、共通のバス１５に接続されている。１６はバス１５に接続されたマイクロコンピュータのＣＰＵであり、プログラムメモリ１４の各種制御プログラムを実行する。１７はＲＡＭ構成のワークメモリ（作業メモリ）であり、ＣＰＵ１６により前記各種制御処理を実行する際に使用される。１８はＲＡＭ構成の画像展開部であり、印刷データが画像展開される。
【００４０】
１９はバス１５に接続された表示制御部であり、ＣＰＵ１６のランプ表示制御に基づき、前記の各ランプ表示器７を点消灯する。２０はバス１５に接続されたヘッド制御部であり、ＣＰＵ１６の印刷制御及び後述の電波受信強度表示制御にしたがってプリントヘッド４を移動する。２１はバス１５に接続された不揮発性の書き替え可能なユーザ登録情報記憶部であり、登録されたユーザ登録情報を保持する。
【００４１】
２２は無線ＬＡＮ等の無線の通信ネットワークに無線接続する無線ＩＦ（ＩＦはインタフェースであり、以下同様である）モジュール部、２３は無線ＩＦモジュール部２２とバス１５との間に設けられた無線制御部であり、ＣＰＵ１６の無線通信制御にしたがって無線ＩＦモジュール部２２の送受信を制御し、無線ＩＦモジュール部２２が受信した前記無線の通信ネットワークの上位装置等からの印刷データを画像展開部１８に転送して印刷する。なお、無線ＩＦモジュール部２２、無線制御部２３が通信ネットワークへの無線接続機能を形成する。２４は有線の通信ネットワークに接続する有線ＩＦモジュール部、２５は有線ＩＦモジュール部２４とバス１５との間に設けられた有線制御部であり、ＣＰＵ１６の有線通信制御にしたがって有線ＩＦモジュール部２４の送受信を制御し、有線ＩＦモジュール部２４が受信した前記有線の通信ネットワークの上位装置等からの印刷データを画像展開部１８に転送して印刷する。なお、有線ＩＦモジュール部２４、有線制御部２５が通信ネットワークへの有線接続機能を形成する。
【００４２】
２６はキー入力部であり、装置ケース２の前面２ｂの各キー６ａ〜６ｃ、…が形成する。２７はキー入力部２６とバス１５との間に設けられたキー入力制御部であり、各キー６ａ〜６ｃ、…の操作を検出してＣＰＵ１６に送る。
【００４３】
ところで、ＣＰＵ１６は従来装置にはない機能ブロックとして電波受信強度表示制御ブロック２８を備える。このブロック２８は図５に示すように、電波受信強度の表示選択検出部２８ａ、本発明の受信強度判定部２８ｂ、本発明のヘッド位置決定部２８ｃ、ヘッド移動指令出力部２８ｄで構成される。
【００４４】
そして、本実施形態の場合、電源キー６ａを含む複数個の印刷操作のキーの一部又は全部の組み合わせ操作から無線通信の電波受信強度の表示を選択する構成であり、表示選択検出部２８ａは、具体的には、例えば紙送りキー６ｂ又はカートリッジ交換キー６ｃを押しながら電源キー６ａを押す操作から電波受信強度表示の選択を検出する。
【００４５】
受信強度判定部２８ｂは、表示選択検出部２８ａの電波受信強度表示の選択の検出により起動され、無線ＩＦモジュール部２２、無線制御部２３の前記無線接続機能の電波受信強度をくり返し判定する。ヘッド位置決定部２８ｃは、受信強度判定部２８ｂの判定毎に判定結果に応じた受信強度表示のヘッド位置を決定する。ヘッド移動指令出力部２８ｄは、ヘッド位置決定部２８ｃが決定した位置へのプリンタヘッド４の移動を装置ケース２内の前記ヘッド移動機構に指令し、プリンタヘッド４を時々刻々の電波受信強度の位置にリアルタイムに移動する。
【００４６】
（動作）
つぎに、印刷装置１の電波受信強度の表示動作について、図６を参照して説明する。
【００４７】
まず、印刷装置１の設置時等にユーザが例えばインクカートリッジ交換キー６ｃを押しながら電源キー６ａを操作して電波受信強度表示を選択すると、ＣＰＵ１６は図６のステップＳ１〜Ｓ５の電波受信強度表示制御を実行し、電波受信強度の表示選択検出部２８ａが前記選択操作を検出してステップＳ１からステップＳ２に移行する。
【００４８】
ステップＳ２に移行すると、受信強度判定部２８ｂが起動され、受信強度判定部２８ｂは無線ＩＦモジュール部２２、無線制御部２３の前記無線接続機能の電波受信強度が予め設定した強度段階のいずれの段階に含まれるかを、例えば０．５秒周期でくり返し判定する。つぎに、ステップＳ３に移行し、ヘッド位置決定部２８ｃが受信強度判定部２８ｂの判定毎にその判定結果に応じた受信強度表示のヘッド位置を決定する。
【００４９】
さらに、ステップＳ３からステップＳ４に移行し、ヘッド移動指令出力部２８ｄにより、ヘッド位置決定部２８ｃが決定した位置へのプリンタヘッド４の移動を装置ケース２内のヘッド移動機構に指令し、ヘッド移動機構によりプリンタヘッド４を指令されたヘッド位置に移動する。
【００５０】
そして、例えば電源のオフ操作又はいずれかのキーの操作又は特定のキー操作が行われて電波受信強度の表示選択検出部２８ａが電波受信強度表示の終了を検出するまで、ステップＳ４からステップＳ５を介してステップＳ２に戻り、このステップＳ２から処理をくり返し、プリンタヘッド４を時々刻々の電波受信強度の位置にリアルタイムに移動する。このとき、上蓋３が装置ケース２の上面２ａを覆っていても、その表示窓１３を通してプリンタヘッド４の動きは見える。
【００５１】
そして、プリンタヘッド４が時々刻々の電波受信強度に応じたヘッド位置に大きく移動するため、プリントヘッド４を利用した従来にない極めて安価な構成で電波受信強度のリアルタイムの表示が行える。このとき、プリントヘッド４の移動範囲は広く、プリンタヘッド４の位置によって電波受信強度を広いダイナミックレンジでわかり易く表示することができ、印刷装置１の設置位置や設置の向きにしたがって変化する印刷装置１の時々刻々の電波受信強度をプリントヘッドの位置から視覚的に容易に把握することができる。
【００５２】
また、プリントヘッド４の移動に沿うように貼り付けられたスケールシール１１のスケール表示から、時々刻々の電波受信強度をより的確に読み取って把握することができる。さらに、プリントヘッド４の指針シール１２がスケールシール１１の電波受信強度の位置のスケール表示を指し示すので、電波受信強度の変化及び大きさの把握が一層容易に行える。
【００５３】
したがって、プリントヘッド４を利用した極めて安価な構成により電波受信強度をリアルタイムに見易く表示することができ、とくにランプ点灯程度の簡素なＵＩサービス機能しか持たない前記簡易表示タイプの印刷装置の電波受信強度の表示に極めて好適な電波受信強度の表示を実現できる。そして、前記実施形態の場合、印刷操作の操作キーを電波受信強度表示の選択操作のキーに兼用するので、その点からも一層安価に電波受信強度の表示を実現できる。
【００５４】
本発明は上記した実施形態に限定されるものではなく、その趣旨を逸脱しない限りにおいて上述したもの以外に種々の変更を行うことが可能である。
【００５５】
例えば、前記実施形態においては、紙送りキー６ｂ又はインクカートリッジ交換キー６ｃを押しながら電源キー６ａを押すことを電波受信強度表示の選択操作としたが、その他の複数個の印刷操作のキーの組み合わせ操作を電波受信強度表示の選択操作としてもよいのは勿論である。
【００５６】
また、上蓋３を開くことを電波受信強度表示の選択の条件とし、例えば、上蓋３を開いた状態で所定の印刷操作キーを操作すれば、電波受信強度表示の選択の操作として検出するようにしてもよく、この場合は、複数個のキーの組み合わせ操作でなく、上蓋３を開いた状態での所定のキー操作により、一層簡単に電波受信強度表示の選択が行える。しかも、上蓋３を開くので、上蓋３が不透明であっても表示窓１３を設ける必要がなく、一層安価に形成できる利点もある。なお、本発明は、電波受信強度表示の選択操作専用の操作キーを設けてもよいのは勿論である。
【００５７】
つぎに、上蓋３が透光性の合成樹脂製である場合は、表示窓１３を省いても上蓋３を通してプリントヘッド４の位置を視認することができる。また、スケール表示は目盛りの表示等であってもよく、その際、電波受信強度のスケールの細かさ等はどのようであってもよい。
【００５８】
つぎに、電波受信強度の判定において、受信したＳＳＩＤ（Ｓｅｒｖｉｃｅ  Ｓｅｔ  Ｉｄｅｎｔｉｆｉｅｒ）等から受信可能なアクセスポイントや有効なＳＳＩＤの個数も検出するようにし、表示モードの選択等に基づき、それらの個数をプリンタヘッド４の位置によって表示する機能も併せて備えるようにしてもよい。この場合、スケールシール１１によりそれらの個数のスケール表示も行うようにすることが好ましい。
【００５９】
つぎに、装置ケース２の内部の構成や回路構成等は前記実施形態の構成に限るものではない。
【００６０】
そして、本発明は、液晶ディスプレイ等の画面表示器を備えたインクジェットプリンタにも適用することができるのは勿論であり、更には、インクジェットプリンタ以外の熱転写プリンタ等の印刷装置にも同様に適用することができる。その際、印刷装置は、上蓋３を省いた構成であってもよい。また、印刷装置は印刷機能の他にスキャナ機能等を備えた複合機タイプであってもよい。
【図面の簡単な説明】
【００６１】
【図１】本発明の一実施形態の印刷装置の全体斜視図。
【図２】図１の印刷装置の一部の拡大斜視図。
【図３】図１の印刷装置のスケールシールの拡大正面図。
【図４】図１の印刷装置の回路ブロック図。
【図５】図４の一部の詳細なブロック図。
【図６】図１の印刷装置の動作説明のフローチャート。
【符号の説明】
【００６２】
２…装置ケース、３…上蓋（蓋体）、４…プリントヘッド、１１…スケールシール、１２…指針シール、１３…表示窓、２８ｂ…受信強度判定部、２８ｃ…ヘッド位置決定部
【図１】
2009208345.tif 000003
【図２】
2009208345.tif 000004
【図３】
2009208345.tif 000005
【図４】
2009208345.tif 000006
【図５】
2009208345.tif 000007
【図６】
2009208345.tif 000008